(57)【要約】【課題】ペダルが支ロッドを中心として回動可能になる足踏み式健康器を提供する。【解決手段】台座１と、連動具２と、連接片２１と、踏み具４と、踏み台５と、規制用ネジ５３と、抵抗具３と、止めツマミ４４と、保護カバー１３と、連動片３１とから構成され、台座１は連結部１２を有し、二つの連動具２は互いに対応し、一端が連結部１２に枢着され、二つの踏み具４は連動具２の自由端に枢着され、両側には止め部４３がそれぞれ下向きに設けてあり、中央部に支ロッド４１がそれぞれ立設してあり、支ロッド４１は長形孔を呈する規制部４２を有し、二つの踏み台５は支ロッド４１に嵌めて連接するブッシュ５２を有し、ペダル５１にそれぞれ組付けされ、二つの規制用ネジ５３はブッシュ５２が支ロッド４１から離脱しないように規制部４２を挿通してブッシュ５２に螺着され、規制部４２が規制用ネジ５３に対して所定角度範囲内に回動可能である。【選択図】図１
0003128330.tif 000002
【実用新案登録請求の範囲】
【請求項１】
台座と、連動具と、連接片と、踏み具と、踏み台と、規制用ネジと、抵抗具と、止めツマミと、保護カバーと、連動片とを備える足踏み式健康器において、
前記台座は、連結部と、電子メータとを有し、
前記連動具は、二つあり、互いに対応し、一端が前記連結部に枢着され、
前記連接片は、二つあり、一端が前記連動具に連接され、他端が互いに交錯するように隣接し、一つの連接片には、複数の段差を持つ長形孔を有する距離調整部が設けてあり、ツマミにより二つの前記連接片が締め付けられて固定され、
前記踏み具は、二つあり、前記連動具の自由端に枢着され、両側には一つの止め部がそれぞれ下向きに設けてあり、中央部に一つの支ロッドがそれぞれ立設してあり、前記支ロッドは長形孔を呈する規制部を有し、
前記踏み台は、二つあり、前記支ロッドに嵌めて連接するブッシュを有し、ペダルにそれぞれ組付けされ、
前記規制用ネジは、二つあり、前記ブッシュが前記支ロッドから離脱しないように、規制部を挿通して前記ブッシュに螺着され、前記規制部が前記規制用ネジに対して所定角度範囲内に回動可能であり、
前記抵抗具は、二つあり、一端が前記連結部に連接され、他端が前記踏み具に連接され、
前記止めツマミは、二つあり、前記踏み具に設置され、
前記保護カバーは、前記連結部をカバーし、
前記連動片は、二つあり、前記連結部と前記踏み具とを連接することを特徴する足踏み式健康器。
【考案の詳細な説明】
【技術分野】
【０００１】
本考案は、足踏み式健康器に係り、特に、足踏みにより人体の腰部以上の部分をも運動させ、且つペダルが回動可能な足踏み式健康器に関するものである。
【背景技術】
【０００２】
目下、ビル内の事務所で仕事をする都会人にとって、室外で運動をするチャンスは少なく、したがって、文明症が多発し、文明症を回避するために、各種類の室内健康器が都会人に愛用されるようになっている。
各種類の室内健康器において、足踏み式健康器がよく使用される健康器の一つであり、足踏み式健康器のペダルを上下または左右に順次に踏むことにより、身体を鍛錬することができるが、ペダルが回動不能であるので、鍛錬可能な部分が身体の一部（例えば足部）に限られる。
【考案の開示】
【考案が解決しようとする課題】
【０００３】
しかしながら、ユーザーが腰部以上の部分を運動している場合には、身体の重心がずれ、且つペダルが回動不能であるので、ユーザーは身体をバランス良くできなくなり、足踏み式健康器から倒れる可能性があり、したがって、腰部以上の部分を運動することができない問題があった。
本考案の主な目的は、規制部が規制用ネジに対して所定角度範囲内に回動可能であることにより、ペダルが支ロッドを中心として回動可能になる足踏み式健康器を提供する。
本考案の次の目的は、踏み具に設置される止めツマミを踏み台に螺着することにより、各ペダルが回動不能になる足踏み式健康器を提供する。
【課題を解決するための手段】
【０００４】
上記目的を達成するためになされた本考案による足踏み式健康器は、台座と、連動具と、連接片と、踏み具と、踏み台と、規制用ネジと、抵抗具と、止めツマミと、保護カバーと、連動片とから構成される。前記台座は、連結部と、電子メータとを有する。前記連動具は、二つあり、互いに対応し、それらの一端が前記連結部に枢着される。前記連接片は、二つあり、それらの一端が前記連動具に連接され、他端が互いに交錯するように隣接し、一つの連接片には、複数の段差を持つ長形孔を有する距離調整部が設けてあり、ツマミにより二つの前記連接片が締め付けられて固定される。前記踏み具は、二つあり、前記連動具の自由端に枢着され、両側には一つの止め部がそれぞれ下向きに設けてあり、その中央部に一つの支ロッドがそれぞれ立設してあり、前記支ロッドは長形孔を呈する規制部を有する。前記踏み台は、二つあり、前記支ロッドに嵌めて連接するブッシュを有し、ペダルにそれぞれ組付けされる。前記規制用ネジは、二つあり、前記ブッシュが前記支ロッドから離脱しないように、規制部を挿通して前記ブッシュに螺着され、前記規制部が前記規制用ネジに対して所定角度範囲内に回動可能である。前記抵抗具は、二つあり、その一端が前記連結部に連接され、他端が前記踏み具に連接される。前記止めツマミは、二つあり、前記踏み具に設置される。前記保護カバーは、前記連結部をカバーする。前記連動片は、二つあり、前記連結部と前記踏み具とを連接する。
（考案の効果）
本考案の足踏み式健康器によれば、ペダルは支ロッドを中心として回動可能、または回動不能にすることができる。
【考案を実施するための最良の形態】
【０００５】
以下、添付図面を参照して本考案の好適な実施の形態を詳細に説明する。
まず、図１と図２を参照する。本考案の一実施例による足踏み式健康器は、その台座１には、信号を接収してディスプレーにデータまたは図形を表示する電子メータ１１が設けてあり、前記台座１は一つの連結部１２を有し、互いに対称する二つの連動具２の一端がそれぞれ前記連結部１２に連接される。また、前記連動具２が連接片２１の一端に連接され、前記二つの連接片２１の他端が交錯するように隣接する。
【０００６】
前記二つの連接片２１のうちの一つには、複数の段差を持つ長形孔を有する距離調整部２１１が設けてあり、ツマミ２１２が前記距離調整部２１１の複数の段差の一つを貫入して、他の連接片２１に螺着することにより、二つの前記連接片２１を締め付けて固定する。
図３に示すように、ツマミ２１２を前記距離調整部２１１の起点の段差に貫入する場合には、前記二つの連動具２の展開角度が１８０度に近接する。また、図４に示すように、ツマミ２１２を前記距離調整部２１１の二番目の段差に貫入する場合には、前記二つの連動具２の展開角度が１８０度より小さい。
【０００７】
前記ツマミ２１２と前記距離調整部２１１との連結関係を調整することにより、互いに連動する前記二つの連動具２の展開角度が変化するようになり、したがって、一つのペダルが上または下に位置する場合には、他のペダルが下または上に位置されるようになる。
また、図１と図２に示すように、前記二つの連動具２の自由端がそれぞれ一つの踏み具４に枢着され、前記踏み具４の中央部には規制部４２を有する支ロッド４１が立設してあり、ペダル５１が組み付けられた踏み台５はブッシュ５２で前記支ロッド４１に連接する。
【０００８】
前記規制部４２は、長形孔を呈し、図６に示すように、規制用ネジ５３を踏み台５と規制部４２とに貫入して前記ブッシュ５２に締め付けると、支ロッド４１がブッシュ５２から離脱できなくなる。
前記規制部４２が規制用ネジ５３に対して所定角度範囲内に回動可能であるので、図５に示すように、各ペダル５１が支ロッド４１を中心として上記の所定角度範囲内に回動可能である。
【０００９】
また、前記踏み具４の両側には一つの止め部４３がそれぞれ下向きに設けてあり、前記二つの連動具２のうちの一つが踏まれて降下し前記止め部４３が台座１に接触すると、図４に示すように、前記連動具２の降下がストップされるようになる。
図１から図３に示すように、二つの抵抗具３は、一端がそれぞれ前記連結部１２に連接され、他端がそれぞれ踏み具４に連接される。そうすると、ユーザーがペダル５１を足踏んで運動している場合には、前記抵抗具３が連動具２を介して各ペダル５１に反力を加え、これにより、ユーザーは身体の一部を鍛錬する効果を収めることができる。
本実施例の足踏み式健康器によれば、ユーザーは、ペダルを左右交代に踏むことにより、足部を鍛錬することができると共に、音楽を聴きながら腰部以上の部分を捻ることができ、且つ腰部以上の部分を捻ることによる重心移動について、二つのペダル５１の回動により、ユーザーは足踏み式健康器から倒れる可能性がない。
【００１０】
また、本実施例の一つの変化例を詳細に説明する。
ユーザーは単に足部を運動しようとする場合には、図６に示すように、踏み具４に設置される止めツマミ４４を踏み台５に締め付けると、踏み台５が移動不能になり、ペダル５１も回動不能になり、そうすると、ユーザーがペダルを左右交代に足踏んでも、腰部以上の部分を鍛錬する効果がない。
【００１１】
また、図１に示すのは、連結部１２と、二つの連動具２と、二つの抵抗具３との連結関係であり、これは本実施例のもっとも重要な構造であり、図２に示すように、前記連結部１２が保護カバー１３にカバーされ、そうすると、不意の接触による前記連結部１２の損壊を回避することができる。
また、図１と図２に示すように、連結部１２と、二つの踏み具４との間に一つの連動片３１をそれぞれ設けてそれらを連接してもよく、前記連動片３１が抵抗具３と並列するので、連動具２および全体構造が補強される。
【図面の簡単な説明】
【００１２】
【図１】本考案の一実施例による足踏み式健康器の分解斜視図である。
【図２】本考案の一実施例による足踏み式健康器の斜視図である。
【図３】本考案の一実施例による足踏み式健康器の調整前の状態を示す側面図である。
【図４】本考案の一実施例による足踏み式健康器の調整後の状態を示す側面図である。
【図５】本考案の一実施例による足踏み式健康器の上面図である。
【図６】本考案の一実施例による足踏み式健康器の止めツマミと踏み具と踏み台との連結関係を示す模式図である。
【符号の説明】
【００１３】
１：台座、２：連動具、３：抵抗具、４：踏み具、１１：電子メータ、１２：連結部、１３：保護カバー、２１：連接片、３１：連動片、４１：支ロッド、４２：規制部、４３：止め部、４４：止めツマミ、５：踏み台、５１：ペダル、５２：ブッシュ、５３：規制用ネジ、２１１：距離調整部、２１２：ツマミ
【図１】
0003128330.tif 000003
【図２】
0003128330.tif 000004
【図３】
0003128330.tif 000005
【図４】
0003128330.tif 000006
【図５】
0003128330.tif 000007
【図６】
0003128330.tif 000008